(57)【要約】【課題】歩道部上を流れる雨水の一部が縁石の上面を越流せずに、縁石の背面板と歩道部舗装層断面との接合面の隙間を通して、下方の床版コンクリート方向へ流れ、鋼製部材に腐食による損傷を与えることを防止する。【解決手段】歩道部２と車道部３との境目部に内部が中空の縁石状排水溝１を設けて、この縁石状排水溝１における背面板７と歩道部舗装層２ｂの接合面、及び前面板１０と車道部舗装層３ｂの接合面に舗装層内へ浸透した雨水を積極的に該排水溝１内へ導入する歩道側背面取水口１３ａ、１３ｂ及び車道側前面取水口１３ｃを設ける。【選択図】図１
2008261165.tif 000002
【特許請求の範囲】
【請求項１】
歩道部と車道部との境目部に設けられる、道路軸方向と直交する向きの断面がＬ字形で内部が中空の縁石状排水溝であって、上面が歩道部の表面と同じ高さを有し、背面板が歩道部舗装層断面と接合される上部集水路と、この上部集水路の下方にあって、上面が車道部の表面と同じ高さを有し、前面板が車道部舗装層断面と接合するように前方へ延出された下部集水路とからなり、
上部集水路の前面と下部集水路の上面との交差隅部に橋面取水口を備え、
歩道部舗装層断面と接合する上部集水路及び下部集水路の背面板に、歩道部上から歩道部舗装層内方向へ浸透する雨水を排水溝内へ導入するための歩道側背面取水口と、車道部舗装層断面と接合する下部集水路の前面板に、車道部上から車道部舗装層内方向へ浸透する雨水を排水溝内へ導入するための車道側前面取水口を設けたことを特徴とする歩車道境界用排水装置。
【請求項２】
縁石状排水溝の上部集水路及び下部集水路を形成する背面板及び前面板に開設される歩道側背面取水口及び車道側前面取水口が、縁石状排水溝の長さ方向に沿って間隔を置くように設けられている請求項１の歩車道境界用排水装置。
【請求項３】
縁石状排水溝の上部集水路及び下部集水路を形成する背面板及び前面板に開設される歩道側背面取水口及び車道側前面取水口の外面下部に、取水案内フランジが突設されている請求項１の歩車道境界用排水装置。
【請求項４】
歩道部から車道部方向へ流出する雨水を、上部集水路及び下部集水路内へ導入するための歩道側背面取水口及び車道側前面取水口が、上部集水路の背面板における歩道部舗装層断面との接合面と、下部集水路の背面板における中詰コンクリート底部との接合面とに設けられている請求項１の歩車道境界用排水装置。
【発明の詳細な説明】
【技術分野】
【０００１】
本発明は、道路における歩道部と車道部との境目部に設けられる排水溝の構造に関するものである。
【背景技術】
【０００２】
従来の道路に設けられる排水装置は、一般的に車道部の路肩部に設けられていて、歩道部上を流れる雨水は、歩道部と車道部との境界に設けられた縁石の上を越流して下方の車道部方向へ流れたのち、車道部の路肩に設けられた排水管内へ排出されるという構造になっている。
【０００３】
上記のような排水溝の具体的な例としては、車道部の路肩部に設けられる縁石を鋼材やステンレスのような金属板による中空体により構成して、歩道部や車道部上に降った雨水を、この縁石状中空排水溝の下辺部に開設した排水孔を通して排水溝内部へ導入し、このようにして集めた雨水を、所定の間隔を置いて設けられた排水管を通して道路外へ排出するようにした構造のものが知られている。
【０００４】
【特許文献１】特開２００５−６８６９３号公報
【発明の開示】
【発明が解決しようとする課題】
【０００５】
上記のような従来の排水装置では、車道部の路肩部に設けられる縁石を金属製の中空体により構成して、歩道部や車道部上に降った雨水を、この縁石状中空排水溝の下辺部に開設した排水孔より排水溝内部へ導入させるので、大雨の際でも路肩部に雨水を溢れさせることなく、金属製の中空状縁石内へ余裕をもって導入させ、排水作用を有効に発揮できるという利点を有している。
【０００６】
一方、道路の排水装置のうち、道路橋のような橋梁構造物に設けられる排水装置においては、路肩部に設けられる排水装置の構造が不備であることに起因して、床版コンクリート内への浸透水が多量に発生し、コンクリートが砂利化する疲労現象や、鉄筋や鋼桁を腐食させて床版及び橋梁の機能を低下損失させる環境劣化の問題が指摘されている。
【０００７】
このような問題がどのような理由により発生するのか、という点を究明したところ、当初、この排水装置は車道部の路肩に設けられているので、歩道部上を流れる雨水は、歩道と車道との境界の縁石の上を越流して、車道部の路肩の排水装置内へ流れ込むものと考えられていた。
【０００８】
しかし、歩道部上の雨水の一部は舗装層内へ直接浸透したり、縁石の背面板と歩道部舗装層断面との接合面の隙間内を通して、下方の中詰めコンクリートの内部や下面方向へ流れてしまうということ、さらに、車道部上の雨水の一部は舗装層内へ直接浸透したり、縁石の前面板と車道部舗装層断面との接合面の隙間内を通して、下方の床版コンクリートの内部に浸透してしまうことにより、結果として、雨水を歩道と車道との境界に設けられた縁石状の排水装置内へ適切に導入できないという問題のあることが判明した。
【課題を解決するための手段】
【０００９】
本発明は、従来の歩車道境界用排水装置における上記のような問題点を解決するための手段として、歩道部と車道部との境目部に内部が中空の縁石状排水溝を設けて、この縁石状排水溝における歩道部舗装層断面との接合面、及び車道部舗装層断面との接合面に舗装層内へ浸透した雨水を積極的に該排水溝内へ導入する内部取水口を設けることにより、車道部、歩道部への浸透水を縁石状排水溝内へ適切に排水して、床版コンクリートの疲労耐久性を大きく向上させることを目的とするものである。
【００１０】
本発明の歩車道境界用排水装置は、そのための具体的手段として、歩道部と車道部との境目部に設けられる、道路軸方向と直交する向きの断面がＬ字形で内部が中空の縁石状排水溝であって、上面が歩道部の表面と同じ高さを有し、背面板が歩道部舗装層断面と接合される上部集水路と、この上部集水路の下方にあって、上面が車道部の表面と同じ高さを有し、前面板が車道部舗装層断面と接合するように前方へ延出された下部集水路とからなり、上部集水路の前面と下部集水路の上面との交差隅部に橋面取水口を備え、歩道部舗装層断面と接合する上部集水路及び下部集水路の背面板に、歩道部上から歩道部舗装層内方向へ浸透する雨水を排水溝内へ導入するための歩道側背面取水口と、車道部舗装層断面と接合する下部集水路の前面板に、車道部上から車道部舗装層内方向へ浸透する雨水を排水溝内へ導入するための車道側前面取水口を設けたことを特徴とする。
【００１１】
縁石状排水溝の上部集水路及び下部集水路を形成する背面板及び前面板に開設される歩道側背面取水口及び車道側前面取水口は、縁石状排水溝の長さ方向に沿って、所定の間隔を置くようにして設けられていることが好ましい。
【００１２】
また、縁石状排水溝における上部集水路及び下部集水路の背面板及び前面板に開設される歩道側背面取水口及び車道側前面取水口の外面下部には、舗装層内へ浸透した浸透水を排水溝内へ導入するための取水案内フランジを設けておくことが好ましい。
【００１３】
さらに、歩道部から車道部方向へ流出する雨水を上部集水路及び下部集水路内へ導入するための歩道側背面取水口及び車道側前面取水口は、上部集水路の背面板における歩道部舗装層断面との接合面と、下部集水路の背面板における中詰コンクリート底部との接合面とに設けられていることが好ましい。
【００１４】
なお、上部集水路及び下部集水路からなる排水溝は、道路軸方向に沿って連続した長さを有するように設けられる構造のものであっても、また、排水管のように道路面に離散的に設けられる構造のものであってもよい。
【発明の効果】
【００１５】
この発明の排水装置では、中空縁石状排水溝の歩道部舗装層断面と接合する上部集水路及び下部集水路の背面板に、歩道部舗装層内方向へ流入した浸透水を排水溝内へ導入するための歩道側背面取水口を設けたので、歩道部上から車道部路肩の排水溝方向へ流れる雨水のうち、車道部の路肩に設けられ縁石の上面を越流せずに縁石と歩道部舗装層断面との継目部から舗装層内へ浸透する雨水があったとしても、これらの浸透水は背面板に開設された歩道側背面取水口から排水溝内へ適切に排出されることになり、雨水の床版コンクリート及び中詰コンクリート内への浸透を防いで、コンクリートの砂利化による疲労現象を防止するとともに、鉄筋や鋼材の腐食現象を抑制し、床版及び橋梁の環境耐久性を向上することができる。
【００１６】
また、縁石状排水溝の車道部舗装層断面と接合する下部集水路の前面板にも、車道部舗装層内へ流入した浸透水を排水溝内へ導入するための車道側前面取水口が設けられているので、車道部上を流れる雨水の一部が、下部集水路の前面板と車道部舗装層断面との継目部から舗装層内へ浸透したとしても、前記前面板の車道側前面取水口を通して排水溝内へ適切に排出され、雨水の床版コンクリート及び中詰コンクリート内への浸透による砂利化を防止することに役立つ。
【００１７】
縁石状排水溝における上部集水路及び下部集水路の背面板及び前面板に開設される取水口の外側下部に、舗装層内へ浸透した浸透水を排水溝内へ導入するための取水案内フランジを設けておくことにより、舗装層内へ浸透した浸透水を効率よく捕捉して排水効果を高めることができる。
【発明を実施するための最良の形態】
【００１８】
本発明の歩車道境界用排水装置は、縁石状排水溝を構成する上部集水路及び下部集水路の背面板及び前面板に、周囲の舗装層内へ浸透した雨水を排水溝内へ導入する歩道側背面取水口及び車道側前面取水口を設けたので、雨水の舗装層内への浸透を積極的に促す排水性舗装を適用した場合には、縁石の上面を越流せずに舗装層内へ浸透した浸透水を効率よく排水溝内へ排出することができ、好ましい形態とすることができる。
【実施例】
【００１９】
本発明を図面に示す実施例について説明すると、図１は、本発明の歩車道境界用排水装置が設けられる、道路軸と直交する向きから見た、路肩部の構成を示す断面図であり、歩道部２と車道部３との境目部には、道路の軸方向と直交する向きの断面がＬ字形の、内部が中空の縁石状排水溝１が設けられている。
【００２０】
この縁石状排水溝１は、鋼材やステンレスなどの金属板により成形されていて、路肩部の床版コンクリート４の上に底板５が配置された状態において、上面６が歩道部２の表面２ａと同じ高さを有し、背面板７が歩道部舗装層２ｂと接合される上部集水路８と、この上部集水路８の下方にあって、上面９が車道部３の表面３ａと同じ高さを有し、前面板１０が車道部舗装層３ｂと接合するように前方へ延出された下部集水路１１とからなっている。
【００２１】
上部集水路８の前面８ａと下部集水路１１の上面９とがＬ字形に交差する隅部には、車道部３上から流下する雨水及び歩道部２上から縁石状排水溝１の上面を越えて路肩方向へ流下する雨水を流し込むための複数個の窓状の橋面取水口１２が設けられている。
【００２２】
一方、縁石状排水溝１における上部集水路８の背面板７と歩道部舗装層２ｂとが接する高さ部分には、歩道部表面２ａ上から縁石状排水溝１の上面６を越流せずに、背面板７と歩道部舗装層２ｂとの接合面の隙間内へ浸透した雨水や、歩道部表面２ａ上から歩道部舗装層２ｂ内へ直接浸透した雨水を排水溝１内へ排出するための歩道側背面取水口１３ａが設けられている。
【００２３】
歩道部２は、床版コンクリート４の上面に中詰めコンクリート１４を設けて、この中詰めコンクリート１４の上に歩道部舗装層２ｂが設けられるので、中詰めコンクリート１４の下面部１４ａが位置する下部集水路１１の背面板７の下方にも、同様な歩道側背面取水口１３ｂを設けて、歩道部舗装層２ｂ内へ浸透したり、上方の歩道側背面取水口１３ａで捕捉できずに、縁石状排水溝１の背面板７と中詰めコンクリート１４の側面との間を下方へ流下した雨水を、下方の歩道側背面取水口１３ｂにより排水溝１内へ排出するようになっている。
【００２４】
さらに、車道部舗装層３ｂの端面と接合する下部集水路１１の前面板１０にも、車道部３上から車道部舗装層３ｂ内へ浸透する雨水を下部集水路１１内へ導入するための孔状の車道側前面取水口１３ｃが設けられている。
【００２５】
上記それぞれの歩道側背面取水口１３ａ、１３ｂ及び車道側前面取水口１３ｃは、図２及び図３に示すように、上部集水路８及び下部集水路１１の背面板７及び前面板１０に対し、縁石状排水溝１の長さ方向に沿って、所定の間隔を置くようにして開設されている。なお、歩道側背面側取水口１３ａ、１３ｂ及び車道側前面取水口１３ｃには、雨水を積極的に取水するネットで包んだヘチマ構造のような目詰まり防止材１５を設けておくことが望ましい。
【００２６】
また、背面板７に開設される歩道側背面取水口１３ａ，１３ｂ及び前面板１０に開設される車道側前面取水口１３ｃの外側下部には、舗装層２ｂ，３ｂ内へ浸透した雨水を上部集水路８内及び下部集水路１１内へ導入するための取水案内フランジ１６を設けておき、浸透してくる雨水をこのフランジ１６によって、効率よく歩道側背面取水口１３ａ，１３ｂ及び車道側前面取水口１３ｃ内へ案内できるようになっている。図中の符号１７は排水管を示す。
【産業上の利用可能性】
【００２７】
この発明の排水装置によると、歩道部２に降った雨水が縁石上面６を越流せずに、縁石と歩道部舗装層２ｂとの間に浸透したとしても、この浸透雨水を背面板７に開設した歩道側背面取水口１３ａ，１３ｂ及び前面板１０に開設した車道側前面取水口１３ｃにより排水溝内へ排出し、これによって床版コンクリートの損傷と鋼材部分の腐食を防止して、疲労耐久性ならびに環境耐久性を的確に向上させることができる。
【図面の簡単な説明】
【００２８】
【図１】本発明に係る歩車道境界用排水装置の構成を示す断面図。
【図２】この排水装置における排水溝の構成を示す斜視図。
【図３】図２に示す排水装置の反対側から見た斜視図。
【符号の説明】
【００２９】
１：縁石状排水溝、
２：歩道部、
２ａ：歩道部表面、
２ｂ：歩道部舗装層、
３：車道部、
３ａ：車道部表面、
３ｂ：車道部舗装層、
４：床版コンクリート、
５：底板、
６：上面、
７：背面板、
８：上部集水路、
９：上面、
１０：前面板、
１１：下部集水路、
１２：橋面取水口、
１３ａ，１３ｂ：歩道側背面取水口、
１３ｃ：車道側前面取水口、
１４：中詰めコンクリート、
１５：目詰まり防止材、
１６：取水案内フランジ、
１７：排水管
【図１】
2008261165.tif 000003
【図２】
2008261165.tif 000004
【図３】
2008261165.tif 000005